(57)【特許請求の範囲】
【請求項１】
映像信号に基づく映像を投影する投影部を有した本体部と、前記投影部の出射方向を設置面に対して所定の傾斜角度に維持して前記本体部を着脱自在に保持するスタンドとを備え、前記本体部を前記スタンドに装着して前記投影部から投影を行う際に、前記傾斜角度に応じたキーストン補正を施した映像を投影することを特徴とする携帯型プロジェクタ。
【請求項２】
前記本体部は前記スタンドを介して外部電源から電力供給される電力供給部を有し、前記電力供給部の印加電圧によって前記本体部の装着状態を検知することを特徴とする請求項１に記載の携帯型プロジェクタ。
【請求項３】
前記本体部は充電池を有し、前記スタンドを介して外部電源から前記充電池に充電することを特徴とする請求項１または請求項２に記載の携帯型プロジェクタ。
【請求項４】
前記本体部が携帯電話機から成ることを特徴とする請求項３に記載の携帯型プロジェクタ。
【請求項５】
前記本体部は投影される映像のデータを保存するデータ保存部を有することを特徴とする請求項１乃至請求項４のいずれかに記載の携帯型プロジェクタ。
【請求項６】
前記スタンドは外部入力部を有し、前記外部入力部から前記本体部に送られる映像信号により映像が投影されることを特徴とする請求項１乃至請求項５のいずれかに記載の携帯型プロジェクタ。
【発明の詳細な説明】
【技術分野】
【０００１】
本発明は、映像を投影面に投影する携帯型プロジェクタに関する。
【背景技術】
【０００２】
従来の携帯型プロジェクタは特許文献１に開示されている。この携帯型プロジェクタはヒンジ部で回動自在に連結される第１、第２筐体を有した折り畳み式の携帯電話機から成っている。第１筐体には映像を投影する投影部が設けられる。第２筐体には第１筐体に向けて光を出射し、反射光を受光して第１、第２筐体の角度を検知する光センサが設けられる。
【０００３】
第２筐体は机上等に設置され、携帯電話機に保存される写真等の映像が投影部から壁面等に投影される。この時、第２筐体に対する第１筐体の角度が光センサにより検知され、検知した角度に応じて映像がキーストン補正される。これにより、投影部の出射光の出射方向に対して映像の投影面が垂直に配置されていなくても矩形の映像画面を表示して良好に映像を見ることができる。
【０００４】
【特許文献１】特開２００５−２３６７４６号公報（第４頁−第１０頁、第２図）
【発明の開示】
【発明が解決しようとする課題】
【０００５】
しかしながら、上記従来の携帯型プロジェクタによると、第１、第２筐体の角度を検知する光センサを必要とするため携帯型プロジェクタが高価になる問題があった。
【０００６】
本発明は、コストを削減できる携帯型プロジェクタを提供することを目的とする。
【課題を解決するための手段】
【０００７】
上記目的を達成するために本発明は、映像信号に基づく映像を投影する投影部を有した本体部と、前記投影部の出射方向を設置面に対して所定の傾斜角度に維持して前記本体部を着脱自在に保持するスタンドとを備え、前記本体部を前記スタンドに装着して前記投影部から投影を行う際に、前記傾斜角度に応じたキーストン補正を施した映像を投影することを特徴としている。
【０００８】
この構成によると、本体部は机上等に設置されるスタンドに保持され、投影部の出射方向がスタンドの設置面に対して一定の傾斜角度に維持される。投影部は該傾斜角度に応じたキーストン補正を施した映像を投射し、投影面上に矩形の映像が表示される。
【０００９】
また本発明は、上記構成の携帯型プロジェクタにおいて、前記本体部は前記スタンドを介して外部電源から電力供給される電力供給部を有し、前記電力供給部の印加電圧によって前記本体部の装着状態を検知することを特徴としている。この構成によると、スタンドには商用電源等の外部電源が接続され、スタンドに設けられる端子の接触により電力供給部に電圧が印加されて本体部に電力が供給される。また、電力供給部に電圧が印加された状態で投影部から映像を投影するとキーストン補正が行われる。
【００１０】
また本発明は、上記構成の携帯型プロジェクタにおいて、前記本体部は充電池を有し、前記スタンドを介して外部電源から前記充電池に充電することを特徴としている。この構成によると、商用電源等の外部電源が接続されたスタンドに本体部を装着すると充電池に充電される。本体部は外部電源の電力によって映像を投影してもよく、充電池の電力によって映像を投影してもよい。本体部をスタンドから外すと充電池の電力によって映像を投影することができる。
【００１１】
また本発明は、上記構成の携帯型プロジェクタにおいて、前記本体部が携帯電話機から成ることを特徴としている。この構成によると、本体部はスタンドから脱着されると充電池の電力によって携帯電話機として使用される。
【００１２】
また本発明は、上記構成の携帯型プロジェクタにおいて、前記本体部は投影される映像のデータを保存するデータ保存部を有することを特徴としている。この構成によると、データ保存部に保存された映像のデータを取り出して投影部により映像が投影される。データ保存部は本体部に内蔵してもよく、本体部に着脱できるようにしてもよい。
【００１３】
また本発明は、上記構成の携帯型プロジェクタにおいて、前記スタンドは映像信号が入力される外部入力部を有し、前記外部入力部から前記本体部に送られた映像信号により映像が投影されることを特徴としている。この構成によると、スタンドに設けた外部入力部から入力された映像信号が投影部に送られて映像が投影される。
【発明の効果】
【００１４】
本発明によると、本体部をスタンドに装着した際にスタンドの設置面に対して投影部の出射方向が所定の傾斜角度に維持され、該傾斜角度に応じたキーストン補正を施した映像を投影部から投影するので、傾斜角度を検知する光センサ等の検知手段を設ける必要がない。従って、携帯型プロジェクタのコストを削減することができる。
【発明を実施するための最良の形態】
【００１５】
以下に本発明の実施形態を図面を参照して説明する。図１は一実施形態の携帯型プロジェクタを示す側面図である。携帯型プロジェクタ１は本体部１０及びスタンド３０を備えている。詳細を後述するように、本体部１０は携帯電話機になっており、スタンド３０は充電器になっている。
【００１６】
スタンド３０は机上等の設置面Ｗ１に設置され、スタンド３０の側壁には電源端子３１及び外部入力部３２が設けられる。電源端子３１は商用電源４０（図３参照）に接続される。電源端子３１に商用電源４０以外の外部電源を接続してもよい。外部入力部３２はＨＤＭＩ端子、Ｄ端子、Ｓ端子、ＵＳＢ端子等の端子から成り、映像信号が入力される。映像信号はアナログ信号であってもデジタル信号であってもよく、映像のデータであってもよい。
【００１７】
スタンド３０の上面には本体部１０が装着される受け部３０ａが凹設されている。図２は本体部１０の底面図を示している。本体部１０は受け部３０ａに嵌合し、傾斜した状態で着脱自在に保持される。また、本体部１０の底面には受け部３０ａに設けたコネクタ３３（図３参照）に接続されるコネクタ２３が設けられる。
【００１８】
図１において、本体部１０の上部には投影部１３が設けられる。投影部１３は光学系を有し、光線束Ｅを出射して投影面Ｗ２に映像を投影する。本体部１０を受け部３０ａに装着した状態で光線束Ｅの中心光線Ｃと設置面Ｗ１とは一定の傾斜角度θになっている。中心光線Ｃの方向が投影部１３の出射方向になる。
【００１９】
図３は携帯型プロジェクタ１の構成を示すブロック図である。本体部１０には各部を制御する制御部１１が設けられる。制御部１１には通信部１２、投影部１３、カメラ部１４、スピーカ１５、マイク１６、電力供給部１７、入力端子１８、データ保存部１９、操作部２０、表示部２１、充電池２２が接続される。
【００２０】
通信部１２は携帯電話機の基地局と通信して電話による通話を行う。また、通信部１２はインターネット接続機能を有しており、通信部１２によりインターネット接続して電子メールの送受信やＷＥＢサイトの閲覧等を行う。投影部１３は前述したように光学系を有して映像を投影する。カメラ部１４は投影部１３とは独立した光学系を有し、カメラ撮影を行う。
【００２１】
スピーカ１５及びマイク１６は電話の音声出力部及び音声入力部となる。電力供給部１７及び入力端子１８はコネクタ２３により一体化され、スタンド３０に設けたコネクタ３３を介してそれぞれ電源端子３１及び外部入力部３２に接続される。電力供給部１７によって本体部１０の各部に電力が供給される。入力端子１８を介して外部入力部３２から入力された映像信号が投影部１３に送られる。
【００２２】
データ保存部１９は不揮発性のメモリやＨＤＤ等から成り、アドレス帳のデータ、カメラ部で撮影した映像のデータ、インターネットを通じて取得した映像のデータ等を保存する。データ保存部１９を本体部１０に対して着脱自在のメモリカードにより構成してもよい。操作部２０は複数の操作キーから成り、電話番号や電子メールの入力操作、投影部１３やカメラ部１４の操作等を行う。
【００２３】
表示部２１は液晶パネル等から成り、操作部２０の操作によって電話番号や電子メールを表示するとともにデータ保存部１９に保存したデータを表示する。充電池２２は電力供給部１７から供給された電力を充電し、スタンド３０から脱着した本体部１０の各部に電力を供給する。
【００２４】
上記構成の携帯型プロジェクタ１において、本体部１０をスタンド３０に装着すると商用電源４０等の外部電源から電源端子３１及び電力供給部１７を介して本体部１０に電力が供給される。電力供給部１７に電圧が印加されることにより、制御部１１は本体部１０がスタンド３０に装着されたことを検知することができる。
【００２５】
前述の図１に一点鎖線で示すように、スタンド３０の受け部３０ａの内壁に対向する光センサ２４を本体部１０の下部に設けて本体部１０の装着状態を検知してもよい。光センサ２４は充電池２２の電力により光を出射し、受け部３０ａで反射した光を受光することによって本体部１０がスタンド３０に装着されたことを検知する。この時、電力供給部１７に接続される外部電源の電力によって映像を投影してもよく、充電池２２の電力によって映像を投影してもよい。
【００２６】
また、本体部１０のコネクタ２３にセンサを設け、コネクタ２３、３３が接続された際にセンサによって本体部１０がスタンド３０に装着されたことを検知してもよい。本体部１０に設けたスイッチをスタンド３０に設けた係合爪が押圧することにより、本体部１０がスタンド３０に装着されたことを検知してもよい。
【００２７】
データ保存部１９にはカメラ部１４で撮影した映像のデータや、インターネットを通じて取得した映像のデータが保存される。映像のデータには静止画データ及び動画データが含まれる。また、データ保存部１９がメモリカードから成る場合は、パーソナルコンピュータ等から送られた映像のデータが保存される。
【００２８】
データ保存部１９に保存された映像のデータを操作部２０により選択して所定の操作を行うと、選択した映像のデータによる映像信号が投影部１３に供給される。そして、該映像信号に基づいた映像が投影部１３から投影面Ｗ２に投影される。これにより、データ保存部１９に保存されたデータによる映像を見ることができる。
【００２９】
この時、投影部１３の出射方向は設置面Ｗ１に対して傾斜角度θで傾斜する。このため、光線束Ｅの下端は投影面Ｗ２までの距離Ｌ１が短く、上端は投影面Ｗ２までの距離Ｌ２が長くなる。その結果、図４に示すように、映像画面Ｄは下端の水平幅Ｈ１よりも上端の水平幅Ｈ２が長い台形に形成される。
【００３０】
光線束Ｅの垂直方向の画角を２α（図１参照）とすると、下端の水平幅Ｈ１と上端の水平幅Ｈ２との比Ｈ２／Ｈ１は式（１）に示すようになる。
【００３１】
Ｈ２／Ｈ１＝ｃｏｓ（θ−α）／ｃｏｓ（θ＋α）  ・・・（１）
【００３２】
このため、制御部１１によって式（１）と逆の比率でキーストン補正（台形補正）が映像に施される。即ち、下端の横幅が広く、上方に行くに従って横幅が狭くなる映像が制御部１１により形成され、投影部１３から出射される。これにより、投影面Ｗ２上に矩形の映像画面Ｄを表示して良好に映像を見ることができる。キーストン補正は映像信号を可変して行ってもよく、投影部１３の光学系を可変して行ってもよい。
【００３３】
また、スタンド３０の外部入力部３２に外部機器が接続されると、入力端子１８を介して制御部１１に映像信号が送られる。制御部１１によってキーストン補正を施した映像が投影部１３から投影面Ｗ２に投影される。これにより、外部入力部３２から入力されたＴＶやＤＶＤ等の映像を簡単に見ることができる。
【００３４】
本体部１０をスタンド３０から外した際には、充電池２２の電力によってデータ保存部１９に保存された映像データを投影部１３から投影することができる。この時、キーストン補正は行われないが、スタンド３０を所持していない場合であっても映像を見ることができる。
【００３５】
本実施形態によると、本体部１０を装着した際にスタンド３０の設置面Ｗ１に対して投影部１３の出射方向（中心光線Ｃ）が所定の傾斜角度θに維持され、傾斜角度θに応じたキーストン補正を施した映像を投影部１３から投影するので、従来のように傾斜角度θを検知する光センサ等の検知手段を設ける必要がない。従って、携帯型プロジェクタ１のコストを削減することができる。また、スタンド３０によって設置面積が広くなるため机上等でのがたつきを防止し、映像表示を安定化することができる。
【００３６】
また、本体部１０がスタンド３０を介して電力供給される電力供給部１７を有するため、スタンド３０に商用電源４０等の外部電源を接続して本体部１０に容易に電力供給することができる。加えて、電力供給部１７の印加電圧によって本体部１０の装着状態を容易に検知することができる。
【００３７】
また、本体部１０に設けた充電池２２にスタンド３０を介して充電するので、本体部１０をスタンド３０から外した際に映像を投影することができる。これにより、キーストン補正は行われないがスタンド３０がない状況でも映像を見ることができ、携帯型プロジェクタ１の利便性を向上することができる。
【００３８】
また、本体部１０が携帯電話機から成るので、カメラ部１４で撮影した映像や、インターネットを介して取得した映像等を見ることができる。従って、携帯型プロジェクタ１の利便性を向上することができる。
【００３９】
また、本体部１０がデータ保存部１９を有するので、データ保存部１９に映像を保存して携帯することができる。従って、容易に映像を見ることができ、携帯型プロジェクタ１の利便性を向上することができる。
【００４０】
また、スタンド３０に映像信号が入力される外部入力部３２を設けたので、スタンド３０の外部入力部３２に外部機器を接続して簡単に映像を見ることができる。
【００４１】
本実施形態において、本体部１０から携帯電話機の機能を省いてもよい。この時、本体部１０をスタンド３０に装着し、外部入力部３２から入力される映像信号をキーストン補正して投影部１３から映像を投影することができる。本体部１０をスタンド３０から外した場合は、パーソナルコンピュータ等からデータ保存部１９に保存された映像のデータによって投影部１３から映像を投影することができる。
【００４２】
また、本体部１０に商用電源４０等の外部電源の入力部を設けてもよく、データ保存部１９にデータを取り込むＵＳＢ端子等のデータ入力部を設けてもよい。更に、本体部１０は折り畳み式の携帯電話機であってもよい。
【産業上の利用可能性】
【００４３】
本発明によると、映像を投影面に投影する携帯型プロジェクタに利用することができる。
【図面の簡単な説明】
【００４４】
【図１】本発明の実施形態の携帯型プロジェクタを示す側面図
【図２】本発明の実施形態の携帯型プロジェクタの本体部を示す底面図
【図３】本発明の実施形態の携帯型プロジェクタの構成を示すブロック図
【図４】本発明の実施形態の携帯型プロジェクタの補正前の映像画面を示す図
【符号の説明】
【００４５】
１    携帯型プロジェクタ
１０    本体部
１１    制御部
１２    通信部
１３    投影部
１４    カメラ部
１５    スピーカ
１６    マイク
１７    電力供給部
１８    入力端子
１９    データ保存部
２０    操作部
２１    表示部
２２    充電池
２３、３３  コネクタ
２４    光センサ
３０    スタンド
３１    電源端子
３２    外部入力部
【図１】
0005166888.tif 000002
【図２】
0005166888.tif 000003
【図３】
0005166888.tif 000004
【図４】
0005166888.tif 000005